(57)【要約】【課題】  遊技状態に応じた風による演出を可能にする。【解決手段】  エアーを機外に噴出可能なエアー噴出口２ｂ・１０ｂ・１６ａが表示窓４Ｌ・４Ｃ・４Ｒに対応した位置や停止ボタン７Ｌ・７Ｃ・７Ｒに対応した位置等の複数箇所に設けられ、遊技状態に応じた噴出パターンでエアーの噴出が行われるように、エアー噴出口２ｂ・１０ｂ・１６ａにおけるエアーの噴出タイミングが制御される。エアーの噴出タイミングは、内部当選役の抽選確率に応じて切り替え速度が変化される。【選択図】図１
2006262930.tif 000002
【特許請求の範囲】
【請求項１】
遊技の開始を指令する遊技開始指令手段と、
複数の図柄を変動表示可能な図柄表示手段と、
前記遊技の開始指示と遊技状態とに基づいて内部当選役を抽選により決定する内部当選役決定手段と、
前記図柄の変動表示が停止された結果が所定の停止態様である場合に、遊技価値を付与する遊技価値付与手段と、
複数箇所に設けられ、エアーを機外に噴出可能なエアー噴出手段と、
前記遊技状態に応じた噴出パターンで前記エアーの噴出が行われるように、前記エアー噴出手段における前記エアーの噴出タイミングを制御するエアー噴出制御手段と
を有することを特徴とする遊技機。
【請求項２】
前記エアー噴出制御手段は、
前記内部当選役の抽選確率に応じて前記噴出タイミングの切り替え速度を変化させることを特徴とする請求項１に記載の遊技機。
【請求項３】
前記図柄表示手段の変動表示の停止を指令する停止指令手段を更に設け、
前記エアー噴出手段は、
前記図柄表示手段に対応した位置と、前記停止指令手段に対応した位置とに設けられていることを特徴とする請求項１又は２に記載の遊技機。
【発明の詳細な説明】
【技術分野】
【０００１】
本発明は、特定の入賞態様が成立するように遊技者の操作により図柄の変動表示を停止可能なパチスロ機やその他の遊技機に関する。
【背景技術】
【０００２】
従来、この種の遊技機としては、例えば特許文献１に記載のものがある。具体的には、遊技の開始により表示窓内の図柄の変動表示を開始し、抽選により内部当選すれば、この内部当選役を告知するまでの間に、内部当選役を告知する旨をエアーの噴出により予告する構成を備えている。
【０００３】
【特許文献１】特開２００３−３１０８１１号公報
【発明の開示】
【発明が解決しようとする課題】
【０００４】
ところで、上記従来のようなエアーを噴出する構成は、風を遊技者に体感させる演出を実現できる点で好ましいが、内部当選役を告知するか否かの２種類の動作を区分けする単純な演出であることから、遊技者の遊技の興趣を高める上では、より複雑な風の体感を可能にすると共に、この風の体感に基づいて複雑な遊技状態を認識できることが望ましい。
【０００５】
そこで、本発明は、遊技状態に応じた風による演出を可能にする遊技機を提供することを課題とする。
【課題を解決するための手段】
【０００６】
本発明は、遊技の開始を指令する遊技開始指令手段と、複数の図柄を変動表示可能な図柄表示手段と、前記遊技の開始指示と遊技状態とに基づいて内部当選役を抽選により決定する内部当選役決定手段と、前記図柄の変動表示が停止された結果が所定の停止態様である場合に、遊技価値を付与する遊技価値付与手段と、複数箇所に設けられ、エアーを機外に噴出可能なエアー噴出手段と、前記遊技状態に応じた噴出パターンで前記エアーの噴出が行われるように、前記エアー噴出手段における前記エアーの噴出タイミングを制御するエアー噴出制御手段とを有することを特徴としている。
【０００７】
上記の構成によれば、エアー噴出手段からエアーが噴出されることによって、このエアー噴出による風を遊技者に体感させることができると共に、エアーの噴出パターンによる風の体感パターンにより遊技状態を認識させることができる場合がある。この結果、遊技者に遊技状態に応じた風の演出を提供することによって、遊技の興趣を高めることが可能になる場合がある。
【０００８】
また、本発明における前記エアー噴出制御手段は、前記内部当選役の抽選確率に応じて前記噴出タイミングの切り替え速度を変化させるものであっても良い。上記の構成によれば、遊技状態に加えて内部当選役の抽選確率によってもエアーの噴出パターンによる風の体感パターンが変化することによって、遊技者に遊技状態及び抽選確率に応じた風の演出を提供することが可能になることから、遊技の興趣を一層高めることが可能になる場合がある。
【０００９】
また、本発明は、前記図柄表示手段の変動表示の停止を指令する停止指令手段を更に設け、前記エアー噴出手段は、前記図柄表示手段に対応した位置と、前記停止指令手段に対応した位置とに設けられていても良い。上記の構成によれば、図柄表示手段が遊技者に目視され、停止指令手段が遊技機に操作される場所であるため、これら場所に対応した位置からエアーが噴出されることによって、遊技者がエアーの噴出による風を体感し易いものになる場合がある。
【発明を実施するための最良の形態】
【００１０】
本発明の実施の形態を図１ないし図１３に基づいて以下に説明する。
本実施形態にかかる遊技機は、所謂『パチスロ機』であり、複数の図柄の変動表示を停止して表示される図柄に基づいて特定の入賞態様が成立するように、遊技者の操作により変動表示を停止可能に構成されている。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１１】
（遊技機１の機械的構成）
図１は、遊技機１の外観を示す斜視図である。遊技機１は、遊技機１の全体を形成している筐体であるキャビネット２を備えている。キャビネット２の正面には、略垂直面としてのパネル表示部２ａが形成され、その中央には縦長矩形の表示窓４Ｌ・４Ｃ・４Ｒが設けられている。表示窓４Ｌ・４Ｃ・４Ｒには、入賞ラインとして水平方向にトップライン８ｂ、センターライン８ｃ及びボトムライン８ｄ、斜め方向にクロスダウンライン８ａ及びクロスアップライン８ｅが設けられている。これらの入賞ラインは、後述の１−ＢＥＴボタン１１、２−ＢＥＴボタン１２、最大ＢＥＴボタン１３を操作すること、或いはメダル投入口２２にメダルを投入することにより、それぞれ１本、３本、５本が有効化される。どの入賞ラインが有効化されたかは、後で説明するＢＥＴランプ９ａ・９ｂ・９ｃの点灯で表示される。尚、以下の説明において、有効化された入賞ラインを有効ラインと言う場合がある。
【００１２】
ここで、入賞ライン８ａ〜８ｅは、役の入賞の成否に関わる。具体的には、所定の役（例えば、後述の『上チリの小役』）に対応する一の図柄（例えば、後述の「上チリ（図柄９７）」）が何れかの有効化された入賞ラインに対応する所定の位置（例えば、後述のＢＥＴ数が「３」であれば左の表示窓４Ｌ内の位置）に停止表示されること、又は所定の役に対応する図柄組合せを構成する図柄が何れかの有効化された入賞ラインに対応する所定の位置に並んで停止表示されることにより、所定の役の入賞が成立することとなる。
【００１３】
キャビネット２の内部には、３個のリール３Ｌ・３Ｃ・３Ｒが回転自在に横一列に設けられている。各リール３Ｌ・３Ｃ・３Ｒの外周面には、複数の図柄からなる図柄列が記されている。
【００１４】
図柄列は、図２に示すように、「００」〜「２０」のコードナンバーが付された複数種類の図柄からなっている。具体的には、「赤７（図柄９１）」、「青７（図柄９２）」、「下チリ（図柄９３）」、「ベル（図柄９４）」、「スイカ（図柄９５）」、「Ｒｅｐｌａｙ（図柄９６）」、および「上チリ（図柄９７）」の図柄からなっている。各リールの図柄は、表示窓４Ｌ・４Ｃ・４Ｒを通して観察可能にされている。各リールは、定速回転（例えば８０回転／分）で回転する。
【００１５】
上記の図柄列中における「赤７（図柄９１）」、「青７（図柄９２）」は、特定の入賞態様を構成するものとして設定されている。ここで、特定の入賞態様とは、後述のＢＢやＲＢのボーナスが成立する入賞態様を意味する。尚、特定の入賞態様は、内部当選役を報知するＳＴ等のボーナス以外の有利な遊技状態を開始させる入賞態様を含む。ここで、ＳＴとは、スーパータイムの略称である。
【００１６】
図１に示すように、表示窓４Ｌ・４Ｃ・４Ｒの左側には、１−ＢＥＴランプ９ａ、２−ＢＥＴランプ９ｂ、最大ＢＥＴランプ９ｃ、クレジット表示部１９が設けられている。１−ＢＥＴランプ９ａ、２−ＢＥＴランプ９ｂ及び最大ＢＥＴランプ９ｃは、一のゲーム（単位遊技）を行なうために賭けられたメダルの数（以下『ＢＥＴ数』という）に応じて点灯する。ここで、本実施例では、一のゲームは、全てのリールが停止したときに終了する。１−ＢＥＴランプ９ａは、ＢＥＴ数が「１」で１本の入賞ラインが有効化されたときに点灯する。２−ＢＥＴランプ９ｂは、ＢＥＴ数が「２」で３本の入賞ラインが有効化されたときに点灯する。最大ＢＥＴランプ９ｃは、ＢＥＴ数が「３」で全て（５本）の入賞ラインが有効化されたときに点灯する。クレジット表示部１９は、７セグメントＬＥＤから成り、貯留されているメダルの枚数を表示する。
【００１７】
表示窓４Ｌ・４Ｃ・４Ｒの右側には、当り表示ランプ（所謂ＷＩＮランプ）１７及び払出表示部１８が設けられる。当り表示ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下『ボーナス』という。払出表示部１８は、７セグメントＬＥＤから成り、入賞成立時のメダルの払出枚数を表示する。
【００１８】
パネル表示部２ａの右側上部には、ボーナス遊技情報表示部２０が設けられる。ボーナス遊技情報表示部２０は、７セグメントＬＥＤを備えており、後で説明するＢＢ一般遊技状態におけるゲームの回数等を表示する。表示窓４Ｌ・４Ｃ・４Ｒの下方には、水平面の台座部１０が配置されている。台座部１０と表示窓４Ｌ・４Ｃ・４Ｒとの間には、液晶表示装置５が設けられている。液晶表示装置５は、遊技に関連する情報、例えばＳＴ時における内部当選役の入賞に関する情報や、遊技上の演出等を表示画面５ａに表示する。
【００１９】
液晶表示装置５の右側には、メダル投入口２２が設けられている。液晶表示装置５の左側には、１−ＢＥＴボタン１１、２−ＢＥＴボタン１２、及び最大ＢＥＴボタン１３が設けられている。１−ＢＥＴボタン１１は、１回の押し操作により、クレジットされているメダルのうちの１枚をゲームへの賭け枚数とする。２−ＢＥＴボタン１２は、１回の押し操作により、クレジットされているメダルのうちの２枚をゲームへの賭け枚数とする。最大ＢＥＴボタン１３は、１回のゲームに賭けることが可能な最大枚数をゲームへの賭け枚数とする。これらのＢＥＴボタン１１・１２・１３を操作することで、前述のとおり、所定の入賞ラインが有効化される。
【００２０】
台座部１０の前面部の左寄りには、遊技者がゲームで獲得したメダルのクレジット／払出しを押しボタン操作で切替えるＣ／Ｐボタン１４が設けられている。このＣ／Ｐボタン１４の切り替えにより、正面下部のメダル払出ロ１５からメダルが払出され、払出されたメダルはメダル受け部１６に溜められる。Ｃ／Ｐボタン１４の右側には、スタートレバー６が配置されている。スタートレバー６は、所定の角度範囲で回動自在に取り付けられており、遊技者の操作により遊技開始指令信号を出力することによって、リール３Ｌ・３Ｃ・３Ｒを回転させ、表示窓４Ｌ・４Ｃ・４Ｒ内での図柄の変動表示を開始させる。キャビネット２の上方の左右には、スピーカ２１Ｌ・２１Ｒが設けられ、その２台のスピーカ２１Ｌ・２１Ｒの間には、入賞図柄の組合せ及びメダルの配当枚数等を表示する配当表パネル２３が設けられている。台座部１０の前面部中央で、液晶表示装置５の下方位置には、３個のリール３Ｌ・３Ｃ・３Ｒの回転をそれぞれ停止させるための３個の停止ボタン７Ｌ・７Ｃ・７Ｒが設けられている。
【００２１】
上記のように構成された遊技機１の前面には、複数のエアー噴出口２ｂ・１０ｂ・１６ａが設けられている。尚、各エアー噴出口２ｂ・１０ｂ・１６ａは、単数の開口であっても良いし、複数の開口が集合されたものであっても良い。これらのエアー噴出口２ｂ・１０ｂ・１６ａは、上下（高さ）方向の３領域、即ち、上部領域、中部領域及び下部領域にそれぞれ配置されていると共に、各領域において左右（幅）方向の３箇所、即ち、左側部、中央部及び右側部に配置されることによって、遊技機１の前面において３行３列のマトリックス状に配置されている。また、これらのエアー噴出口２ｂ・１０ｂ・１６ａには、噴出口番号（１）〜（９）が付与されており、噴出口番号（１）〜（９）によりエアー噴出口２ｂ・１０ｂ・１６ａの場所が特定されるようになっている。
【００２２】
具体的に説明すると、上部領域のエアー噴出口２ｂは、表示窓４Ｌ・４Ｃ・４Ｒの上方の近傍位置にそれぞれ配置されており、噴出口番号（１）・（２）・（３）が設定されている。中部領域のエアー噴出口１０ｂは、停止ボタン７Ｌ・７Ｃ・７Ｒの下方の近傍位置に配置されており、噴出口番号（４）・（５）・（６）が設定されている。下部領域のエアー噴出口１６ａは、メダル受け部１６に配置されており、噴出口番号（７）・（８）・（９）が設定されている。尚、エアー噴出口２ｂ・１０ｂ・１６ａは、３行３列に限定されるものではなく、任意の行及び列で配置されていれば良いし、さらにはマトリックス状である必要もなく、遊技機１の前面側の複数箇所に配置されていれば良い。
【００２３】
上記の各エアー噴出口２ｂ・１０ｂ・１６ａには、ノズル１０１が接続されている。ノズル１０１は、機内（キャビネット２内）に設けられており、エアー配管１０２を介して図４の切替バルブ１０４に接続されている。切替バルブ１０４は、エアー噴出口２ｂ・１０ｂ・１６ａの個数に一致したバルブ部を有している。バルブ部は、エアー噴出口２ｂ・１０ｂ・１６ａの噴出口番号（１）〜（９）に対応してバルブ番号（１）〜（９）が付与されている。また、バルブ部は、エアーの流通路を閉鎖状態と開放状態とに切り替え可能になっている。各バルブ部の出力側は、上述のエアー噴出口２ｂ・１０ｂ・１６ａに接続されたノズル１０１に連絡されている一方、各バルブ部の入力側は、エアーを送出する空気送出機１０３に接続されている。尚、空気送出機１０３は、エアーコンプレッサやファン、ブロア等を用いることができる。そして、切替バルブ１０４は、後述の副制御回路７２からの指令により各バルブ部の閉鎖状態と開放状態とを切り替えることによって、空気送出機１０３のエアーを所定の噴出タイミングでエアー噴出口２ｂ・１０ｂ・１６ａから機外に噴出させることを可能にしている。
【００２４】
（遊技機１の電気的構成：主制御回路７１）
上記のように構成された遊技機１は、図３に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行なうＣＰＵ３１と、主基板側記憶手段であるＲＯＭ３２及びＲＡＭ３３を有している。
【００２５】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽選テーブルに基づいて、当選役を決定するようになっている。
【００２６】
尚、乱数サンプリングのための手段として、マイクロコンピュータ３０内で、即ち、ＣＰＵ３１の動作プログラム上で乱数サンプリングを実行するように構成しても良い。その場合、乱数発生器３６及びサンプリング回路３７は省略可能であり、或いは、乱数サンプリング動作のバックアップ用として残しておくことも可能である。
【００２７】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、当り表示ランプ１７）と、各種表示部（払出表示部１８、クレジット表示部１９、ボーナス遊技情報表示部２０）と、メダルを収納し、ホッパー駆動回路４１の命令により所定枚数のメダルを払出す遊技価値付与手段としてのホッパー（払出しのための駆動部を含む）４０と、リール３Ｌ・３Ｃ・３Ｒを回転駆動するステッピングモータ４９Ｌ・４９Ｃ・４９Ｒとがある。
【００２８】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００２９】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、２−ＢＥＴスイッチ１２Ｓ、最大ＢＥＴスイッチ１３Ｓ、Ｃ／Ｐスイッチ１４Ｓ、投入メダルセンサ２２Ｓ、リール停止信号回路４６、リール位置検出回路５０、払出完了信号回路５１がある。これらもＩ／Ｏポート３８を介してＣＰＵ３１に接続されている。
【００３０】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じて停止指令信号を発生する。リール位置検出回路５０は、リール回転センサからのパルス信号を受けて各リール３Ｌ・３Ｃ・３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００３１】
また、主制御回路７１のＲＡＭ３３には、種々の情報が一時的に格納される。例えば、ヒットリクエストフラグの情報等が格納される。一方、主制御回路７１のＲＯＭ３２には、スタートレバー６を操作（スタート操作）する毎に行われる乱数サンプリングの判定に用いられる確率抽選テーブル等の各種のデータテーブルや、副制御回路７２へ送信するための各種制御指令（コマンド）等が格納されている。ＲＯＭ３２に格納された各種のデータテーブルの詳細については後述する。
【００３２】
また、このように構成された主制御回路７１は、外部集中端子板８９に接続されている。外部集中端子板８９は、ホールコンピュータ２００等との間でデータ通信を可能にしている。ホールコンピュータ２００は、遊技機１の動作状態、例えばメダルの払い出し量や動作異常、不正操作等を監視可能になっている。尚、外部集中端子板８９は、無線通信及び有線通信の両方の通信形態が選択可能になっており、無線通信の形態としては、電波による形態の他、赤外線等による形態がある。
【００３３】
（遊技機１の電気的構成：副制御回路７２）
上記の主制御回路７１は、副制御回路７２にコマンドや情報等を一方向に出力可能に接続されている。副制御回路７２は、図４に示すように、主制御回路７１からの制御指令（コマンド）に基づいて液晶表示装置５の表示制御及びスピーカ２１Ｌ・２１Ｒからの音の出力制御を行なう。この副制御回路７２は、主制御回路７１を構成する主基板とは別の副基板上に構成され、マイクロコンピュータ（以下『サブマイクロコンピュータ』という）７３を主たる構成要素とし、液晶表示装置５の表示制御手段としての画像制御回路８１、スピーカ２１Ｌ・２１Ｒにより出音される音を制御する音源ＩＣ７８、増幅器としてのパワーアンプ７９、ＬＥＤランプ２９を駆動するＬＥＤ駆動回路７７、外部集中端子板８９に接続された通信部８８、及び上述の切替バルブ１０４に接続されたバルブ駆動部１０５を備えている。
【００３４】
サブマイクロコンピュータ７３は、主制御回路７１から送信された制御指令に従って制御動作を行なうサブＣＰＵ７４と、副基板側記憶手段としてのプログラムＲＯＭ７５と、ワークＲＡＭ７６とを含む。尚、副制御回路７２は、クロックパルス発生回路、分周器、乱数発生器及びサンプリング回路を備えていないが、サブＣＰＵ７４の動作プログラム上で乱数サンプリングを実行するように構成されている。この乱数サンプリングにより、ＣＳ、ＮＳ等を発生させるかどうかが決定される。プログラムＲＯＭ７５は、サブＣＰＵ７４で実行するコマンド処理ルーチン等の制御プログラムを格納している。また、ワークＲＡＭ７６は、上記制御プログラムをサブＣＰＵ７４で実行するときの一時記憶手段として構成される。
【００３５】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、画像を形成するためのドットデータを格納する。ビデオＲＡＭ８７は、画像制御ＩＣ８２で画像を形成するときの一時記憶手段として構成される。
【００３６】
上記のサブマイクロコンピュータ７３には、バルブ駆動部１０５が接続されている。バルブ駆動部１０５は、切替バルブ１０４に接続されており、サブマイクロコンピュータ７３からの指令により切替バルブ１０４の各バルブ部を開閉動作させるようになっている。
【００３７】
また、プログラムＲＯＭ７５には、エアー演出処理ルーチンやＳＴ実行処理ルーチン等の各種のプログラムが格納されている。エアー演出処理ルーチンは、上記のバルブ駆動部１０５の作動を制御することによって、遊技状態に応じたノズル制御パターン（噴出パターン）でエアー噴出口２ｂ・１０ｂ・１６ａからエアーを噴出させる機能と、ＢＥＴ数に基づいて内部当選役を抽選する確率を獲得し、この抽選確率に応じた速度でノズル制御パターンを繰り返す機能とを有している。また、ＳＴ実行処理ルーチンは、ＳＴ動作（内部当選役の報知）を実行する機能等を有している。尚、ＳＴ動作は、液晶表示装置５を用いて行われても良いし、エアー噴出口２ｂ・１０ｂ・１６ａのノズル制御パターンで行われても良いし、これら液晶表示装置５とエアー噴出口２ｂ・１０ｂ・１６ａのノズル制御パターンとを組み合わせて行われても良い。さらに、プログラムＲＯＭ７５や画像ＲＯＭ８６には、後述するノズル制御データテーブル等の各種のデータテーブルが格納されている。
【００３８】
（遊技状態）
以上のように構成された遊技機１は、『一般遊技状態』、『ＢＢ一般遊技状態』および『ＲＢ遊技状態』からなる３種類の遊技状態を出現させる。これら「３種類」の各遊技状態は、基本的に、内部当選する可能性のある役の種類、再遊技に内部当選する確率及び入賞成立を実現することが可能なボーナスの種別、内部当選と入賞成立との関係により区別される。
【００３９】
各遊技状態の特徴、即ち、各遊技状態において内部当選する役の種類、その確率及び各遊技状態におけるリール３Ｌ・３Ｃ・３Ｒの停止制御（入賞する可能性のある役の種類等）については後述する。また、各遊技状態間の移行は、ボーナス図柄の組み合わせが入賞ライン上に表示されたとき等により移行する。
【００４０】
ここで、ＢＢの入賞成立を契機として発生し、『ＢＢ一般遊技状態』及び『ＲＢ遊技状態』により構成される遊技状態を総称して、以下『ＢＢ遊技状態』という。ＢＢの入賞は、一般遊技状態において「青７−青７−青７」又は「赤７−赤７−赤７」が有効ラインに沿って並ぶことにより成立する。ＢＢの入賞が成立した後、遊技状態がＢＢ一般遊技状態となる。ＲＢの入賞は、一般遊技状態又はＢＢ一般遊技状態において「赤７−赤７−青７」が有効ラインに沿って並ぶことにより成立する。ＢＢ一般遊技状態においてＲＢの入賞が成立することを、一般に『ＪＡＣＩＮ』と称する。ＲＢの入賞が成立した後、遊技状態がＲＢ遊技状態となる。
【００４１】
再遊技の入賞は、一般遊技状態において「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行なうことができる。
【００４２】
また、一般遊技状態及びＢＢ一般遊技状態では、『上チリの小役』、『下チリの小役』、『ベルの小役』、及び『スイカの小役』の入賞成立を実現することが可能である。役物の入賞は、ＲＢ遊技状態において「Ｒｅｐｌａｙ−Ｒｅｐｌａｙ−Ｒｅｐｌａｙ」、「赤７−Ｒｅｐｌａｙ−Ｒｅｐｌａｙ」又は「青７−Ｒｅｐｌａｙ−Ｒｅｐｌａｙ」が並ぶことにより成立する。役物の入賞成立回数が「８回」となったとき、又は、１２回の遊技が終了したとき、遊技状態が移行する。ここで、役物の入賞が成立する可能性のあるＲＢ遊技状態のゲームは、一般に『ＪＡＣゲーム』と称される。
【００４３】
次に、入賞成立を示す図柄組み合わせとメダルの払い出し枚数との関係を説明する。一般遊技状態においては、ＢＢとＲＢと再遊技とベルの小役とスイカの小役と上チリの小役と下チリの小役とに入賞する可能性がある。そして、入賞成立がＢＢやＲＢの場合、１５枚のメダルが払い出され、再遊技の場合、メダルの払い出しはない。また、ベル、スイカ、上チリ、下チリの小役の場合、それぞれ１０枚、３枚、１枚、７枚のメダルが払い出される。
【００４４】
また、ＢＢ一般遊技状態においては、ＲＢとベルの小役とスイカの小役と上チリの小役と下チリの小役とに入賞する可能性がある。そして、入賞成立がＲＢの場合、１５枚のメダルが払い出される。また、ベル、スイカ、上チリ、下チリの小役の場合、それぞれ１０枚、３枚、１枚、７枚のメダルが払い出される。またＲＢ遊技状態において、役物の入賞が成立した場合には、１５枚のメダルが払い出される。
【００４５】
（主制御回路７１のデータテーブル：確率抽選テーブル）
次に、図５を参照して、一般遊技状態において当選役を決定する際に使用する確率抽選テーブルを説明する。この確率抽選テーブルでは、『上チリ』と『下チリ』と『スイカ』と『ベル』と『リプレイ（再遊技）』と『ＢＢ』と『ＲＢ』と『ハズレ』とが内部当選可能な役として存在し、これら役を「０」〜「１６３８３」の乱数範囲においてＢＥＴ数に応じて３段階の確率で内部当選させるようになっている。
【００４６】
具体的には、例えば『上チリ』の小役は、ＢＥＴ数が“３”であれば、「０」〜「１９」の乱数範囲が抽出されたときに、２０／１６３８４の確率で内部当選する。同様に、ＢＥＴ数が“１”であれば、１０／１６３８４の確率で『上チリ』の小役に内部当選し、ＢＥＴ数が“２”であれば、１４／１６３８４の確率で『上チリ』の小役に内部当選する。また、例えば『ＢＢ』は、ＢＥＴ数が“３”であれば、「２６４６」〜「２７１３」の乱数範囲が抽出されたときに、６８／１６３８４の確率で内部当選する。
【００４７】
図６を参照して、ＢＢ一般遊技状態において当選役を決定する際に使用する確率抽選テーブルを説明する。この確率抽選テーブルでは、『上チリ』と『下チリ』と『スイカ』と『ベル』と『ＲＢ』と『ハズレ』とが内部当選可能な役として存在し、これら役を「０」〜「１６３８３」の乱数範囲においてＢＥＴ数に応じて３段階の確率で内部当選させるようになっている。具体的には、例えば『上チリ』の小役は、ＢＥＴ数が“３”であれば、「０」〜「２０」の乱数範囲が抽出されたときに、２１／１６３８４の確率で内部当選する。同様に、ＢＥＴ数が“１”であれば、１１／１６３８４の確率で『上チリ』の小役に内部当選し、ＢＥＴ数が“２”であれば、１５／１６３８４の確率で『上チリ』の小役に内部当選する。また、例えば『ＲＢ』は、ＢＥＴ数が“３”であれば、「１０００１」〜「１４０９７」の乱数範囲が抽出されたときに、４０９７／１６３８４の確率で内部当選する。
【００４８】
次に、図７を参照して、ＲＢ遊技状態において当選役を決定する際に使用する確率抽選テーブルを説明する。この確率抽選テーブルでは、『ハズレ』と『役物』とが内部当選可能な役として存在し、これら役を「０」〜「１６３８３」の乱数範囲においてＢＥＴ数に応じて３段階の確率で内部当選させるようになっている。具体的には、『ハズレ』は、ＢＥＴ数が“３”であれば、「０」〜「２」の乱数範囲が抽出されたときに、３／１６３８４の確率で内部当選する。同様に、ＢＥＴ数が“１”であれば、１／１６３８４の確率で『ハズレ』の小役に内部当選し、ＢＥＴ数が“２”であれば、２／１６３８４の確率で『ハズレ』の小役に内部当選する。また、『役物』は、ＢＥＴ数が“３”であれば、「３」〜「１６３８３」の乱数範囲が抽出されたときに、１６３８１／１６３８４の確率で内部当選する。同様に、ＢＥＴ数が“１”であれば、８０２７／１６３８４の確率で『役物』に内部当選し、ＢＥＴ数が“２”であれば、１１４６７／１６３８４の確率で『役物』に内部当選する。
【００４９】
（副制御回路７２のデータテーブル）
上記の各テーブルは、図３の主制御回路７１におけるＲＯＭ３２に格納されている。一方、図４に示すように、副制御回路７２のプログラムＲＯＭ７５や画像ＲＯＭ８６には、上述のエアー演出処理ルーチン等の各種のプログラムが格納されていると共に、ノズル制御データテーブル等の各種のデータテーブル等が格納されている。
【００５０】
ノズル制御データテーブルは、図８に示すように、遊技状態のデータ欄とノズル制御順序のデータ欄とを有している。遊技状態のデータ欄には、一般遊技状態とＢＢ一般遊技状態とＲＢ遊技状態とが格納されている。ノズル制御順序のデータ欄には、遊技状態に応じた切替バルブ１０４のノズル制御パターンが格納されている。
【００５１】
具体的に説明すると、一般遊技状態に対応したデータ欄は、切替バルブ１０４のバルブ番号（４）・（５）・（６）をノズル制御パターンとして格納しており、バルブ番号（４）・（５）・（６）に対応する１個のバルブ部を順番に開閉動作させるようになっている。これにより、一般遊技状態においては、図１１に示すように、バルブ番号（４）・（５）・（６）に対応する噴出口番号（４）・（５）・（６）の中部領域のエアー噴出口１０ｂからエアーが順番に噴出されることになる。
【００５２】
また、図８に示すように、ＢＢ一般遊技状態に対応したデータ欄は、切替バルブ１０４のバルブ番号（１・３）・（５）・（７・６）をノズル制御パターンとして格納しており、バルブ番号（１・３）の２個のバルブ部と、バルブ番号（５）の１個のバルブ部と、バルブ番号（７・９）の２個のバルブ部とを順番に開閉動作させるようになっている。これにより、ＢＢ一般遊技状態においては、図１２に示すように、バルブ番号（１・３）に対応する噴出口番号（１・３）の上部領域両端のエアー噴出口２ｂからエアーが噴出される動作と、バルブ番号（５）に対応する噴出口番号（５）の中部領域中央のエアー噴出口１０ｂからエアーが噴出される動作と、バルブ番号（７・９）に対応する噴出口番号（７・９）の下部領域両端のエアー噴出口１６ａからエアーが順番に噴出される動作とが順番に繰り返されることになる。
【００５３】
また、図８に示すように、ＲＢ遊技状態に対応したデータ欄は、切替バルブ１０４のバルブ番号（１・２・３）・（４・５・６）・（７・８・９）をノズル制御パターンとして格納しており、バルブ番号（１・２・３）の３個のバルブ部と、バルブ番号（４・５・６）の３個のバルブ部と、バルブ番号（７・８・９）の３個のバルブ部とを順番に開閉動作させるようになっている。これにより、ＢＢ一般遊技状態においては、図１３に示すように、バルブ番号（１・２・３）に対応する噴出口番号（１・２・３）の上部領域のエアー噴出口２ｂからエアーが噴出される動作と、バルブ番号（４・５・６）に対応する噴出口番号（４・５・６）の中部領域中央のエアー噴出口１０ｂからエアーが噴出される動作と、バルブ番号（７・８・９）に対応する噴出口番号（７・８・９）の下部領域両端のエアー噴出口１６ａからエアーが順番に噴出される動作とが順番に繰り返されることになる。
【００５４】
（主制御回路７１の動作）
上記の構成において、図９に示すメインフローチャートを参照して、主制御回路７１のＣＰＵ３１の制御動作について説明する。
【００５５】
先ず、電源が投入されると、遊技機１は、主制御回路７１において図９のメインルーチンを実行することにより遊技を実施可能な状態になると共に、副制御回路７２において図示しないリセットルーチンを実行することにより液晶表示装置５の演出画像の表示等を実施及び実施可能な状態になる。また、主制御回路７１及び副制御回路７２は、メインルーチンやリセットルーチンとは別の処理ルーチンを独立して実行している。具体的には、副制御回路７２においては、図１０のエアー演出処理ルーチンを実行しており、エアー噴出口２ｂ・１０ｂ・１６ａからエアーを噴出して演出を行うことが可能になっている。尚、エアー演出処理ルーチンによる演出動作については後述する。
【００５６】
主制御回路７１によりメインルーチン等が実行されると、図９に示すように、遊技開始時の初期化が行われた後（Ｓ１）、ゲーム終了時のＲＡＭ３３の所定の記憶内容が消去される（Ｓ２）。次に、メダル投入処理が実行され、ＢＥＴボタン１１・１２・１３等からの入力があるまで待機状態となる。そして、ＢＥＴボタン１１・１２・１３等からの入力があると、ＢＥＴ数等を含むメダル投入信号が副制御回路７２に単位遊技の開始信号として送信される。そして、メダル投入信号がエアー演出処理ルーチンにおけるエアー演出の開始タイミングに用いられ、ＢＥＴ数がエアー演出時の動作速度（エアー噴出口２ｂ・１０ｂ・１６ａの切替速度）に用いられる（Ｓ３）。
【００５７】
次に、スタートレバー６の操作によりスタートスイッチ６Ｓがオンされたか否かが判定される（Ｓ４）。スタートスイッチ６Ｓがオンされなければ（Ｓ４，ＮＯ）、Ｓ４が再実行され、スタートレバー６が操作されるまで待機状態とされる。スタートスイッチ６Ｓがオンされると（Ｓ４，ＹＥＳ）、リール回転処理に実行が移行される（Ｓ５）。そして、抽選用の乱数が抽出され（Ｓ６）、遊技状態監視処理が実行されることによって、今回のゲームにおける遊技状態が確認される。そして、この遊技状態を示すデータが副制御回路７２に送信され、後述のエアー演出処理ルーチンにおけるエアー演出のノズル制御パターン（噴出パターン）に用いられる（Ｓ７）。
【００５８】
今回のゲームの遊技状態が確認されると、確率抽選テーブルに基づく確率抽選処理において遊技状態に対応した内部当選役が抽選され（Ｓ８）、選択された内部当選役の情報が副制御回路７２に出力される。内部当選役を決定すると、停止テーブル群選択処理が実行される（Ｓ９）。そして、リール回転停止処理が実行され、何れかの停止ボタン７Ｌ・７Ｃ・７Ｒが操作されたタイミングや自動停止タイマの値が「０」になったタイミングで滑りコマ数が決定された後、滑りコマ数分、リールが回転されてから停止される（Ｓ１０）。この後、入賞判定（入賞検索）により表示窓４Ｌ・４Ｃ・４Ｒの図柄の停止態様に基づいて入賞役（入賞が成立した役）が識別され、入賞信号が単位遊技の終了信号として副制御回路７２に出力される。そして、この入賞信号がエアー演出処理ルーチンにおけるエアー演出の終了タイミングに用いられる（Ｓ１１）。この後、遊技状態に応じてメダル１１５のクレジット又は払出しが行われる（Ｓ１２）。尚、入賞役がＢＢ又はＲＢであると判定された場合には、ＢＢ一般遊技状態又はＲＢ遊技状態の発生が行われる。
【００５９】
次に、現在の遊技状態がＢＢ一般遊技状態又はＲＢ遊技状態であるか否かが判定される（Ｓ１３）。遊技状態がＢＢ一般遊技状態又はＲＢ遊技状態でない場合には（Ｓ１３，ＮＯ）、Ｓ２が再実行される。一方、Ｓ１３において、遊技状態がＢＢ一般遊技状態又はＲＢ遊技状態である場合には（Ｓ１３，ＹＥＳ）、ボーナスの『遊技数チェック処理』が行われる（Ｓ１４）。この後、ボーナスの終了時であるか否かが判定され（Ｓ１５）、ボーナスの終了時でないと判定された場合には（Ｓ１５，ＮＯ）、Ｓ２が再実行される一方、ボーナスの終了時であると判定された場合には（Ｓ１５，ＹＥＳ）、ボーナス終了信号が副制御回路７２に出力された後（Ｓ１６）、Ｓ２が再実行される。
【００６０】
（副制御回路７２の動作）
上記のメインルーチンにより各種の処理が実行されると、処理に応じた結果や内容がコマンドやデータとして副制御回路７２に入力される。副制御回路７２においては、図示しないリセットルーチンやＳＴ実行処理ルーチン、図１０のエアー演出処理ルーチンをそれぞれ独立して実行している。そして、リセットルーチンの実行によりコマンドに基づいた演出画像を液晶表示装置５に表示する。例えば、メダル投入を示すコマンドが入力された場合には、スタートボタンの操作を促す演出画像等が液晶表示装置５に表示される。また、ＳＴ実行処理ルーチンの実行により内部当選役を液晶表示装置５に表示して報知する。
【００６１】
また、エアー演出処理ルーチンの実行時においては、図１０に示すように、主制御回路７１からのメダル投入信号に基づいて単位遊技が開始されたか否かを判定し（Ａ１）、メダル投入信号が入力されなければ（Ａ１，ＮＯ）、Ａ１を再実行して単位遊技の開始待ち状態となる。そして、メダル投入信号が入力された場合には（Ａ１，ＹＥＳ）、主制御回路７１から入力された遊技状態を取得する（Ａ２）。そして、遊技状態に応じたノズル制御パターンを選択する。具体的には、図８に示すように、一般遊技状態であれば、切替バルブ１０４のバルブ番号（４）・（５）・（６）をノズル制御パターンとして選択し、ＢＢ一般遊技状態であれば、切替バルブ１０４のバルブ番号（１・３）・（５）・（７・６）をノズル制御パターンとして選択し、ＲＢ遊技状態であれば、切替バルブ１０４のバルブ番号（１・２・３）・（４・５・６）・（７・８・９）をノズル制御パターンとして選択する（Ａ３）。
【００６２】
この後、メダル投入信号に含まれていたＢＥＴ数を取得し、ＢＥＴ数が“１”であれば、内部当選する確率が“小”であると判断し、ＢＥＴ数が“２”であれば、内部当選する確率が“中”であると判断し、ＢＥＴ数が“３”であれば、内部当選する確率が“大”であると判断する（Ａ４）。
【００６３】
この後、ＢＥＴ数が“１”であるか否かを判定し（Ａ５）、“１”であれば（Ａ５，ＹＥＳ）、繰り返し速度を低速モードに設定する（Ａ７）。一方、“１”でなければ（Ａ５，ＮＯ）、続いてＢＥＴ数が“２”であるか否かを判定し（Ａ６）、“２”であれば（Ａ６，ＹＥＳ）、繰り返し速度を中速モードに設定する（Ａ７）。一方、“２”でなければ（Ａ６，ＮＯ）、繰り返し速度を高速モードに設定する（Ａ９）。
【００６４】
次に、上記のように得たノズル制御パターン及び繰り返しモード（低速、中速、高速）とを用いてエアー噴射処理を実行する（Ａ１０）。具体的には、図１１に示すように、単位遊技が一般遊技状態である場合には、バルブ番号（４）・（５）・（６）に対応する噴出口番号（４）・（５）・（６）の中部領域のエアー噴出口１０ｂからエアーが順番に噴出される。そして、単位遊技のＢＥＴ数“１”・“２”・“３”に応じて噴出の切替タイミング（動作速度）が変更される。これにより、遊技者は、エアーの噴出により風を体感することができると共に、この風の体感を通じたエアーの噴出（体感）パターンにより現在の単位遊技が一般遊技状態であると認識し、噴出パターンの動作速度によりＢＥＴ数及び抽選確率の状態を認識することができる。
【００６５】
また、図１２に示すように、単位遊技がＢＢ一般遊技状態である場合には、バルブ番号（１・３）・（５）・（７・６）に対応する噴出口番号（１・３）・（５）・（７・６）のエアー噴出口２ｂ・１０ｂ・１６ａからエアーが順番に噴出される。即ち、バルブ番号（１・３）に対応する噴出口番号（１・３）の上部領域両端のエアー噴出口２ｂからエアーが噴出される動作と、バルブ番号（５）に対応する噴出口番号（５）の中部領域中央のエアー噴出口１０ｂからエアーが噴出される動作と、バルブ番号（７・９）に対応する噴出口番号（７・９）の下部領域両端のエアー噴出口１６ａからエアーが順番に噴出される動作とが順番に繰り返されることになる。そして、単位遊技のＢＥＴ数に“１”・“２”・“３”に応じて噴出の切替タイミング（動作速度）が変更される。これにより、遊技者は、エアーの噴出により風を体感することができると共に、この風の体感を通じたエアーの噴出（体感）パターンにより現在の単位遊技がＢＢ一般遊技状態であると認識し、噴出パターンの動作速度によりＢＥＴ数及び抽選確率の状態を認識することができる。
【００６６】
また、図１３に示すように、単位遊技がＲＢ一般遊技状態である場合には、バルブ番号（１・２・３）・（４・５・６）・（７・８・９）に対応する噴出口番号（１・２・３）・（４・５・６）・（７・８・９）のエアー噴出口２ｂ・１０ｂ・１６ａからエアーが順番に噴出される。即ち、バルブ番号（１・２・３）に対応する噴出口番号（１・２・３）の上部領域のエアー噴出口２ｂからエアーが噴出される動作と、バルブ番号（４・５・６）に対応する噴出口番号（４・５・６）の中部領域中央のエアー噴出口１０ｂからエアーが噴出される動作と、バルブ番号（７・８・９）に対応する噴出口番号（７・８・９）の下部領域両端のエアー噴出口１６ａからエアーが順番に噴出される動作とが順番に繰り返されることになる。そして、単位遊技のＢＥＴ数に“１”・“２”・“３”に応じて噴出の切替タイミング（動作速度）が変更される。これにより、遊技者は、エアーの噴出により風を体感することができると共に、この風の体感を通じたエアーの噴出（体感）パターンにより現在の単位遊技がＲＢ一般遊技状態であると認識し、噴出パターンの動作速度によりＢＥＴ数及び抽選確率の状態を認識することができる。
【００６７】
この後、単位遊技が終了したか否かを判定し（Ａ１１）、単位遊技が終了しなければ（Ａ１１，ＮＯ）、以上の動作を繰り返す。そして、単位遊技が終了すれば（Ａ１１，ＹＥＳ）、本ルーチンを終了する。
【００６８】
（本実施形態の概要）
以上のように、本実施形態の遊技機１は、図１、図３及び図４に示すように、遊技の開始を指令する遊技開始指令手段（スタートレバー６、スタートスイッチ６Ｓ等）と、前記図柄表示手段の変動表示の停止を指令する停止指令手段（停止ボタン７Ｌ・７Ｃ・７Ｒ、リール停止信号回路４６等）と、前記遊技の開始指示と遊技状態とに基づいて内部当選役を抽選により決定する内部当選役決定手段（主制御回路７１、図９のメインルーチン等）と、前記図柄の変動表示が停止された結果が所定の停止態様である場合に、遊技価値を付与する遊技価値付与手段（主制御回路７１、図９のメインルーチン、ホッパー４０、ホッパー駆動回路４１、メダル検出部４０ａ等）と、複数箇所に設けられ、エアーを機外に噴出可能なエアー噴出手段（エアー噴出口２ｂ・１０ｂ・１６ａ、エアー配管１０２、空気送出機１０３等）と、前記遊技状態に応じた噴出パターンで前記エアーの噴出が行われるように、前記エアー噴出手段における前記エアーの噴出タイミングを制御するエアー噴出制御手段（副制御回路７２、切替バルブ１０４、バルブ駆動部１０５等）とを有する構成にされている。
【００６９】
上記の構成によれば、エアー噴出手段からエアーが噴出されることによって、このエアー噴出による風を遊技者に体感させることができると共に、エアーの噴出パターンによる風の体感パターンにより遊技状態を認識させることができる場合がある。この結果、遊技者に遊技状態に応じた風の演出を提供することによって、遊技の興趣を高めることが可能になる場合がある。
【００７０】
また、本実施形態における前記エアー噴出制御手段は、前記内部当選役の抽選確率に応じて前記噴出タイミングの切り替え速度を変化させる構成にされている。これにより、遊技状態に加えて内部当選役の抽選確率によってもエアーの噴出パターンによる風の体感パターンが変化することによって、遊技者に遊技状態及び抽選確率に応じた風の演出を提供することが可能になることから、遊技の興趣を一層高めることが可能になる場合がある。
【００７１】
また、本実施形態においては、複数の図柄を変動表示可能な図柄表示手段（ステッピングモータ４９Ｌ・４９Ｃ・４９Ｒ、リール位置検出回路５０、リール３Ｌ・３Ｃ・３Ｒ等）を更に設け、前記エアー噴出手段は、前記図柄表示手段に対応した位置と、前記停止指令手段に対応した位置とに設けられた構成にされている。これにより、図柄表示手段が遊技者に目視され、停止指令手段が遊技機に操作される場所であるため、これら場所に対応した位置からエアーが噴出されることによって、遊技者がエアーの噴出による風を体感し易いものになる場合がある。
【００７２】
尚、本実施形態においては、エアー噴出口２ｂ・１０ｂ・１６ａからのエアーの噴出パターンを遊技状態に応じたものにする構成にされているが、これに限定されるものではなく、役が成立した入賞ライン８ａ〜８ｅに対応するようにエアーの噴出パターンが設定されていても良い。
【００７３】
（本実施形態の変形例）
以上、本実施形態について説明したが、本発明はこれに限定されるものではなく、遊技機は、以下の構成を上述の実施形態における構成に加えて、或いは重複して備えていても良い。
【００７４】
即ち、遊技機は、所定の遊技結果が表示された場合に遊技者に遊技価値を付与する遊技価値付与手段と、遊技開始指令信号に基づいて所定の役を当選役として決定する当選役決定手段と、当選役に基づいて入賞表示手段に入賞態様を表示させる入賞表示制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に特定役蓄積手段が蓄積して記憶している特定の役を当選役とする蓄積特定役当選手段とを少なくとも１つ以上備えていても良い。
【００７５】
ここで、上記の『遊技結果表示手段』は、まとめると入賞表示手段、演出表示手段、告知表示手段等を含んで構成されている。それらが、別体の表示装置であっても良いし、単一の表示装置に設けられた所定の表示部（スプライト、深度の異なる３Ｄオブジェクト）でも良い。また、重なって表示されても良い。さらには、１又は複数の音、１又は複数の光、１又は複数の色、１又は複数の画像、１又は複数の臭い等、１又は複数の感触（振動、圧力）のうちの何れか、複数又は全部により遊技者に報知を行なうようになっていても良い。
【００７６】
『遊技価値付与手段』は、遊技価値（コイン）を付与（払出）するプログラム等、有利状態発生手段を含み、賞媒体の払出、磁気カードへの記録、ゲームの得点加算も含む。
【００７７】
『表示制御手段』は、まとめると入賞表示制御手段、演出表示制御手段、告知表示制御手段等を含んで構成されている。単一の基板に設けられていても、別体の複数の基板に設けられても良いし、入賞表示制御手段は当選役決定手段と同一の基板に設けられても良い。（別体でも良い。）さらには、演出表示制御手段及び告知表示制御手段は、当選役決定手段と別体の基板に設けられても良い。（別体でも良い。）
【００７８】
『入賞表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でも良い。
【００７９】
『表示停止指令手段』は、演出表示手段、入賞表示手段、告知表示手段等のうちの１つ、複数、全ての可変表示を停止させる信号を出力しても良いし、１つ又は複数の表示部に対応して１つ設けられていても良い（表示部は、図柄表示部等）。或いは、１つの表示部に対応して複数設けられていても良い（表示部は、図柄表示部等）。
【００８０】
『有利状態発生手段』は、複数の遊技単位の間、継続して遊技者に有利な状態が続けば何でも良い。例えば発生判定、継続判定、途中終了判定、発生、継続、終了等を行なうプログラム等である。また、『当選役決定手段』は、当選役抽選手段、当選役持越手段、特定役蓄積手段、蓄積特定役当選手段等から構成されている。
【００８１】
尚、本実施形態において、『遊技機』は、パチスロ機、停止操作がないスロットマシン、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄うちに特定の図柄が含まれている（上チリ、デカチリ等）等を含む。
【００８２】
『外れ態様』は、入賞表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【００８３】
『予告態様』は、所定の当選役または特定の当選役が決定されている可能性があることを遊技者に対して予告する態様や外れを予告する態様、また、その演出態様を含む。『外れ？』、『ベル？』、『大当り当選？』、『ボーナス当選？』、『遊技手順ナビゲート機能当選？』等の文字も含む。『告知態様』は、所定の当選役または特定の当選役が決定されていることを遊技者に対して告知する態様や、所定の当選役または特定の当選役が決定されていないことを遊技者に対して告知する態様を含む。また、その演出態様。『大当り確定』、『ボーナス確定』、『外れ確定』、『ベル確定』、『遊技手順ナビゲート機能当選？』等の文字も含む。
【００８４】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【００８５】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグ、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等。それらが複数、それらの組合せ等を含む。
【００８６】
『当選役』は、複数の役から当選役決定手段により当選役として決定された１または複数の役を含む。『入賞役』は、当選役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【００８７】
また、パチスロ等における役は、次のうちの１または複数を適用しても良い。外れ、所定枚数の賞媒体を払出す小役、当選役決定手段が小役を当選役と決定する確率を１単位遊技（１ゲーム）の間だけ高確率とするシングルボーナス、当選役決定手段が小役を当選役と決定する確率を複数単位遊技の間だけ高確率とするレギュラーボーナス、当選役決定手段がレギュラーボーナスを当選役と決定する確率を複数単位遊技の間だけ高確率とするビッグボーナス、当選役決定手段が決定した当選役に関する情報を遊技者による表示停止指令手段の操作より以前に報知する当選役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【００８８】
例えば、上述の当選役ナビゲート機能、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等にしたがって、左、中、右リール停止ボタンを停止操作することで入賞表示手段に所定の入賞態様が得られるリール停止ナビゲート機能等。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に入賞表示手段に所定の入賞態様が得られるものも含む。遊技者による表示停止指令手段からの停止指令信号の出力から最小移動（又は略最小変動）で図柄を停止させる機能。遊技媒体の投入無しで１単位遊技の遊技を開始できるリプレイ。
【００８９】
また、１回の単位遊技は、例えば次のようなもののうち何れかを適用しても良い。遊技開始指令手段からの遊技開始指令信号の出力から遊技結果の表示まで。スタートレバーの操作から入賞表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から入賞表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから入賞表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用しても良い。
【００９０】
さらに、本発明は、上述のパチスロ機やパチンコ遊技機等の実機の他、これらのパチスロ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【００９１】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００９２】
【図１】本実施の形態のパチスロ機の斜視図。
【図２】リールの状態を示す説明図。
【図３】主制御回路のブロック図。
【図４】副制御回路のブロック図。
【図５】一般遊技状態用確率抽選テーブル。
【図６】ＢＢ一般遊技状態用確率抽選テーブル。
【図７】ＲＢ遊技状態用確率抽選テーブル。
【図８】ノズル制御データテーブル
【図９】メインルーチンのフローチャート。
【図１０】エアー演出処理ルーチンのフローチャート。
【図１１】エアーの噴出パターンを示す説明図。
【図１２】エアーの噴出パターンを示す説明図。
【図１３】エアーの噴出パターンを示す説明図。
【符号の説明】
【００９３】
１    遊技機
２    キャビネット
３Ｌ，３Ｃ，３Ｒ    リール
４Ｌ，４Ｃ，４Ｒ    表示窓
５    液晶表示装置
６    スタートレバー
６Ｓ    スタートスイッチ
７Ｌ，７Ｃ，７Ｒ    リール停止ボタン
９ａ    １−ＢＥＴランプ
９ｂ    ２−ＢＥＴランプ
９ｃ    最大ＢＥＴランプ
１０    台座部
１１Ｓ    １−ＢＥＴスイッチ
１２Ｓ    ２−ＢＥＴスイッチ
１３Ｓ    最大ＢＥＴスイッチ
１４Ｓ    Ｃ／Ｐスイッチ
１５    メダル払出口
１６    メダル受部
１７    当り表示ランプ（ＷＩＮランプ）
１８    払出表示部
１９    クレジット表示部
２０    ボーナス回数表示部
２１Ｌ，２１Ｒ    スピーカ
２２    メダル投入口
２３    配当表パネル
３０    マイクロコンピュータ
３１    ＣＰＵ
３２    ＲＯＭ
３３    ＲＡＭ
３４    クロックパルス発生回路
３５    分周器
３６    乱数発生器
３７    サンプリング回路
３８    Ｉ／Ｏポート
３９    モータ駆動回路
４０    ホッパー
４１    ホッパー駆動回路
４５    ランプ駆動回路
４６    リール停止信号回路
４８    表示部駆動回路
４９Ｌ，４９Ｃ，４９Ｒ    ステッピングモータ
５０    リール位置検出回路
５１    払出完了信号回路
７１    主制御回路
７２    副制御回路
８９  外部集中端子板
１０１      ノズル
１０２      エアー配管
１０３      空気送出機
１０４      切替バルブ
１０５      バルブ駆動部
【図１】
2006262930.tif 000003
【図２】
2006262930.tif 000004
【図３】
2006262930.tif 000005
【図４】
2006262930.tif 000006
【図５】
2006262930.tif 000007
【図６】
2006262930.tif 000008
【図７】
2006262930.tif 000009
【図８】
2006262930.tif 000010
【図９】
2006262930.tif 000011
【図１０】
2006262930.tif 000012
【図１１】
2006262930.tif 000013
【図１２】
2006262930.tif 000014
【図１３】
2006262930.tif 000015